(57)【要約】      （修正有）【課題】装着時に身体への負担が少なく、液漏れの心配もないアロマペンダントを提供する。【解決手段】アロマペンダント１０は、レース製の収納袋１２にアロマオイルを吸収させた化粧用コットンを収納し、収納袋１２の開口部の縁部をアジアンコード製の首紐１６で開閉可能に閉じ、ウッドビーズ１８で開口部が開かないように固定したものである。首紐１６の両端には天然石２０を取り付けることで、意匠性を高めるとともにアロマオイルの香りと合わせて癒しの相乗効果を得ることができる。【選択図】図１
0003195834.tif 000002
【実用新案登録請求の範囲】
【請求項１】
アロマオイルを吸収して保持するアロマオイル保持体と、
前記アロマオイル保持体を収納する非金属製の収納袋と、
前記収納袋の開口部の縁部に挿通される非金属製の紐状体と、
前記開口部を閉じた状態に固定する非金属製の固定具を備える、
アロマペンダント。
【請求項２】
前記紐状体の両端部にそれぞれ非金属製の装飾体を備える、
請求項１に記載のアロマペンダント。
【請求項３】
前記アロマオイル保持体が化粧用コットンで構成されている、
請求項１または２に記載のアロマペンダント。
【請求項４】
前記収納袋がレース地で構成されている、
請求項１乃至３の何れかに記載のアロマペンダント。
【請求項５】
前記紐状体がアジアンコードで構成されている、
請求項１乃至４の何れかに記載のアロマペンダント。
【請求項６】
前記固定具がウッドビーズで構成されている、
請求項１乃至５の何れかに記載のアロマペンダント。
【請求項７】
前記装飾体が天然石で構成されている、
請求項２乃至６の何れかに記載のアロマペンダント。
【考案の詳細な説明】
【技術分野】
【０００１】
本考案は、首などに掛けてアロマオイルの香りを楽しむアロマペンダントに関する。
【背景技術】
【０００２】
アロマオイル（天然成分１００％のものはエッセンシャルオイルという。）には、植物に由来する成分を利用して、人体に精神的・身体的な作用を及ぼす効果があることが知られている。近年ではアロマオイルの効果を利用したアロマテラピーが人気を博しており、癒しを求める多くの人々に愛用されている。アロマオイルには芳香浴、沐浴、蒸気浴など様々な使い方がある。このうち芳香浴は、アロマオイルの香りを嗅いで楽しむ、最も簡便な方法である。芳香浴の例としては、従来はアロマポットやアロマライトなどの熱を利用して発散させる方法が主流であったが、近年はディフューザ等の熱を利用せずに発散させる方法が安全面と手軽さの面から広く用いられるようになっている。またハンカチに少量のアロマオイルを含ませておき、好きなときにハンドバッグなどから取り出して手軽に芳香浴を楽しむ人も増えてきている。
【０００３】
アロマオイルを楽しむ人口が増え、また楽しむ機会が増えるにつれて、外出時にも手軽にアロマオイルを楽しみたい、また常に身近に香りを感じていたいという要望が高まりを見せている。このような要望に応えるものとして、例えばペンダント型のガラス瓶にアロマオイルを収容したものがある（特許文献１参照）。ガラス瓶には外部と通じる小穴が設けられており、そこからアロマオイルが少しずつ蒸散して香りを楽しむことができる。
【先行技術文献】
【特許文献】
【０００４】
【特許文献１】実用新案登録第３１２００７３号公報
【考案の概要】
【考案が解決しようとする課題】
【０００５】
しかし、ガラス瓶は衝撃に弱く、破損した際には怪我につながるおそれがある。またガラス瓶が傾いたときに小穴からアロマオイルが漏れ出し、衣類等を汚損する可能性もある。ガラス瓶を比較的丈夫な金属製品またはセラミックス製品に置き換えることも可能ではあるが、何れも重量が嵩み、装着時に身体の負担となる。
【０００６】
そこで本考案は、装着時に身体への負担が少なく、液漏れの心配もないアロマペンダントを提供する。
【課題を解決するための手段】
【０００７】
アロマペンダントは、アロマオイルを吸収して保持するアロマオイル保持体と、前記アロマオイル保持体を収納する非金属製の収納袋と、前記収納袋の開口部の縁部に挿通される非金属製の紐状体と、前記開口部を閉じた状態に固定する非金属製の固定具を備える。
【０００８】
アロマオイル保持体にアロマオイルを吸収させているため、アロマペンダントの向きや傾きが変化しても通常の使用の範囲内であれば液漏れの心配は不要である。香りを変えたい場合にはアロマオイル保持体を入れ替えるだけでよいので、その日その時に気分に応じて様々な香りを楽しむことができる。アロマオイル保持体はコットンやガーゼ、スポンジ等の吸収性のある柔らかい素材のもので構成することができる。特に化粧用コットンは比較的安価で入手も容易であり、吸収性も高いので、アロマオイルオイル保持体として好適である。
【０００９】
身体に触れる可能性のある箇所には非金属製品を使用しているため、金属アレルギーがある方でも安心して使用することができる。また他人に触れる機会の多い、例えば介護などに携わる方の場合も安心して使用することができる。さらには非金属製品を主体とし全体として軽量であるため、長時間装着していても首や肩への負担にならない。
【００１０】
アロマオイルは、１００%天然素材のエッセンシャルオイルや溶剤で希釈したアロマオイルなど、芳香作用のある液体であれば大抵ものを使用することができる。
【００１１】
ペンダントは通常は首に掛けて使用するものであるが、本考案のアロマペンダントはそれ以外にもハンドバッグ等の携帯品に装着したり、自動車内のルームミラーやウインカーレバー等に装着したりすることもできる。
【００１２】
紐状体の両端部にそれぞれ非金属製の装飾体を装着することでアロマペンダントの意匠性を高めることができる。また紐状体を結んで環状にしたときに結び目が解けにくくなる。装飾体を天然石で構成することでアロマオイルの持つ癒しの効果と天然石が持つ癒しの効果の相乗効果を得ることができる。
【００１３】
収納袋はレース地で構成することができる。アロマペンダントの大部分を占める収納袋にレース地を使用することでアロマペンダント全体の意匠性を高めることができる。またレース地であれば手洗いも容易であり、いつでも清潔な状態に維持することができる。またレース地の編み目を通してアロマオイルの香りを効果的に楽しむことができる。さらには首からぶら下げた状態で使用しているときに机の角や食器などに触れても嫌な音がすることはなく、また破損する心配もない。
【００１４】
紐状体はアジアンコードで構成することができる。アジアンコードは素材がポリエステルであるため、通常の紐と比べてハリとコシがあり、ヨレにくく結びやすい。また結び目も綺麗であるため意匠性も高めることができる。さらには色落ちもしにくいので衣類等に色移りする心配もない。
【００１５】
固定具をウッドビーズで構成することで収納袋の開閉が容易になり、アロマオイル保持体の交換やオイルの補充を簡単に行うことができる。
【考案の効果】
【００１６】
本考案のアロマペンダントは、簡素な構造で比較的安価に製造することができるので、リーズナブルな価格で提供することができる。またアロマオイルが漏れない構造であるため、衣類やハンドバッグ等を汚損することもない。また非金属製の素材を用いているため、多くの方が安心して使用することができる。
【図面の簡単な説明】
【００１７】
【図１】アロマペンダントの全体像を示す図
【図２】アロマペンダントの開口部の構造を示す図
【図３】アロマペンダントの首紐の結び目を示す図
【考案を実施するための形態】
【００１８】
以下、本考案の実施の形態について、図面１乃至図３を参照しながら説明する。
【００１９】
アロマペンダント１０は、収納袋１２、アロマオイル保持体１４、首紐１６、固定具１８、天然石２０によって構成される。収納袋１２は、レース地を適当な大きさに裁断し、開口部２２を有する袋状に縫製したものである。収納袋１２の大きさはペンダントとして日常生活の支障にならない程度であれば十分である。
【００２０】
アロマオイル保持体１４は、市販の化粧用コットンを約半分の大きさに切断したものである。切断した化粧用コットンの中央にアロマオイルを１、２滴垂らし、吸収させた部分を包むように全体を丸める。丸めた化粧用コットンは収納袋１２の開口部２２から袋内部に挿入し、開口部２２を閉じて袋内部に収納する。香りが弱くなった場合や更に強い香りを望む場合には、化粧用コットンにアロマオイルを追加することができるが、その場合、収納袋１２から化粧用コットンを取り出してアロマオイルを垂らしてもよいし、取り出さずに開口部２２に露出した部分にそのままアロマオイルを垂らすこともできる。香りを変えたい場合には、収納袋１２から古い化粧用コットンを取り出し、別のアロマオイルを吸収させた新しい化粧用コットンと入れ替えるとよい。
【００２１】
首紐１６は、市販のアジアンコードを適当な長さに裁断したものである。アジアンコードは、一方の端部を収納袋１２の開口部２２の縁部にある編み目に通しながら開口部２２の周縁を一周させ、他方の端部と結んで環状にする。結び目２４は比較的緩めな飾り結びとし、結び目２４をずらすだけで自由に長さを変えられるようにしておく。収納袋１２は首紐１６に対して開口部２２の縁部を縮めることで閉じることができ、伸ばすことで開くことができる。
【００２２】
固定具１８は、市販のウッドビーズをそのまま使用することができる。ウッドビーズには中央に貫通する穴が設けられており、この穴に開口部２２の縁部に通した首紐１６の両端部を通す。ウッドビーズは開口部２２の開け閉めに応じて首紐１６に沿って適宜移動させる。アロマペンダント１０の使用時には開口部２２を閉じ、ウッドビーズを開口部２２に近接する位置まで移動させる。ウッドビーズは首紐１６との間の摩擦力によって動きが制限されるので、開口部２２を閉じた状態になるように固定することができる。
【００２３】
天然石２０は、市販の天然石のうち中央に貫通する穴が設けられているものを使用することができる。天然石２０の穴に首紐１６を通し、天然石２０の両側に結び目を作ることで、首紐１６の先端部に天然石２０を固定することができる。
【００２４】
以上のように構成されるアロマペンダント１０は、首紐１６の長さを簡単に変えることができるため、首にぶら下げて使用する通常の用途のほか、短くしてハンドバッグや車内に掛けたりして使用することもできる。また、レース地やアジアンコード、ウッドビーズ、天然石は市販のものに多種多様な製品があるため、これらを組み合わせを変えるだけで豊かなバリエーションを楽しむことができる。
【符号の説明】
【００２５】
１０  アロマペンダント
１２  収納袋
１４  アロマオイル保持体
１６  首紐
１８  固定具
２０  天然石
２２  開口部
２４  結び目
【図１】
0003195834.tif 000003
【図２】
0003195834.tif 000004
【図３】
0003195834.tif 000005